(57)【要約】【課題】入力停止ボタン等を設けることなく、入力状況に応じて入力を無効とすることができる入力装置、及び入力制御方法を提供する。【解決手段】本発明に係るデータ表示／センサ装置１００は、対象物（指６４や雑巾６５等）により選択された面状部材（センサ内蔵液晶パネル３０１等）上の領域の広がりが所定の基準値以上であるか否かを判定し、当該領域の広がりが所定の基準値以上である場合に、対象物による面状部材に対する入力を無効とする。【選択図】図１
2010186442.tif 000002
【特許請求の範囲】
【請求項１】
対象物の像を検知して、当該対象物による入力を受付ける面状部材と、
上記面状部材が検知した対象物の像から、当該対象物により選択された当該面状部材上の領域を検出する選択領域検出手段と、
上記選択領域検出手段が検出した上記領域の広がりを検出する領域広さ検出手段と、
上記領域広さ検出手段が検出した上記領域の広がりが所定の基準値以上であるか否かを判定し、当該領域の広がりが所定の基準値以上である場合に、上記対象物による上記面状部材に対する入力を無効とする入力制御手段と、
を備えることを特徴とする入力装置。
【請求項２】
前記領域広さ検出手段は、前記面状部材上の各位置における前記対象物の像の検出の数の取得、又は、前記面状部材を複数の分割領域に分割した場合における、前記対象物により選択された当該分割領域の数の取得、により、前記領域の広がりを検出することを特徴とする請求項１に記載の入力装置。
【請求項３】
前記入力制御手段は、前記面状部材に対する入力を無効とした後、前記領域の広がりが前記所定の基準値未満となった場合に、当該面状部材に対する入力無効の状態を解除することを特徴とする請求項１又は２に記載の入力装置。
【請求項４】
前記面状部材が画像を表示する機能をさらに有し、
前記入力制御手段により、前記対象物による前記面状部材に対する入力が無効とされている場合は、入力無効の旨を通知する画像を当該面状部材に表示することを特徴とする請求項１から３の何れか一項に記載の入力装置。
【請求項５】
前記面状部材に対する前記対象物の移動方向を検出する移動方向検出手段を備え、
上記移動方向検出手段が検出した上記対象物の移動が、往復移動又は反復性のある移動の何れかであり、かつ、前記領域広さ検出手段が検出した前記領域の広がりが所定の基準値以上である場合に、
前記入力制御手段は、上記面状部材に対する入力を無効とすることを特徴とする請求項１から４の何れか一項に記載の入力装置。
【請求項６】
前記面状部材が、当該面状部材上の各位置における受光量を検出するフォトダイオード群を備え、当該フォトダイオード群が検出した受光量の変化に基づいて前記対象物の像を検知することを特徴とする請求項１から５の何れか一項に記載の入力装置。
【請求項７】
対象物の像を検知して、当該対象物による入力を受付ける面状部材を備えた入力装置における入力制御方法であって、
上記入力装置が行なう、以下の（１）〜（３）の工程を含む、
（１）上記面状部材が検知した対象物の像から、当該対象物により選択された当該面状部材上の領域を検出する選択領域検出工程、
（２）上記選択領域検出工程で検出した上記領域の広がりを検出する領域広さ検出工程、
（３）上記領域広さ検出工程で検出した上記領域の広がりが所定の基準値以上であるか否かを判定し、当該領域の広がりが所定の基準値以上である場合に、上記対象物による上記面状部材に対する入力を無効とする入力制御工程、
ことを特徴とする入力制御方法。
【発明の詳細な説明】
【技術分野】
【０００１】
本発明は、入力装置、及び該装置における入力制御方法に関する。特に、入力画面を清掃する際に誤入力が発生する虞を低減可能な入力装置、及び該装置における入力制御方法に関する。
【背景技術】
【０００２】
入力画面を指等でタッチして入力を受付ける情報機器では、当該入力画面の汚れを布巾や雑巾などを用いて清掃する場合に、当該情報機器が誤入力を受付ける可能性がある。すなわち、当該情報機器の電源をオフせず、アプリケーションが動作したまま清掃をすると、当該アプリケーションに何らかの入力が発生し、誤操作の原因となる。
【０００３】
そこで、誤入力を防止するために、情報機器の電源をオフして入力を受付けなくした後に、上記入力画面の清掃を行なう。あるいは、情報機器を休み無く駆動する必要がある場合等には、当該情報機器の電源をオフせずに、入力画面の清掃を行なうための清掃モードに切り替わる構成が採用されている。
【０００４】
例えば、特許文献１には、入力画面の清掃モードにおいて、入力禁止領域と、位置変更が可能な入力可能領域とを当該入力画面に設けて、入力禁止領域を清掃することができる情報入力装置が開示されている。また、当該情報入力装置では、上記入力可能領域が二度続けて入力画面で接触されたときに清掃モードを解除するようになっている。
【０００５】
また、特許文献２〜５には、入力一時停止ボタン等を設けて、当該ボタン等が選択された場合に、所定の期間は入力を受付けなくする情報端末装置等が開示されている。そして、上記所定の期間に、誤動作を招来することなく入力画面の清掃を行なうことが出来る。
【０００６】
特許文献６にはさらに、入力画面が所定の複数の入力を受付けることで、入力を受付けない状態（入力無効の状態）を解除できる旨の構成が開示されている。
【先行技術文献】
【特許文献】
【０００７】
【特許文献１】特開平１−１２５６１４号公報（公開日１９８９年５月１８日）
【特許文献２】特開平１０−１７７４５７号公報（公開日１９９８年６月３０日）
【特許文献３】特開２０００−２８４９１０号公報（公開日２０００年１０月１３日）
【特許文献４】特開２００４−３３４７６２号公報（公開日２００４年１１月２５日）
【特許文献５】特開２００４−３５５０７８号公報（公開日２００４年１２月１６日）
【特許文献６】特開２００５−７１００８号公報（公開日２００５年３月１７日）
【発明の概要】
【発明が解決しようとする課題】
【０００８】
しかしながら、情報機器の電源をオフした後に入力画面の清掃を行なう構成では、電源をオフした後の、情報機器の終了及び再起動処理に時間を要する問題がある。加えて、情報機器の電源をオフできない状況にあれば、入力画面の清掃を一切行なうことができない。
【０００９】
一方、特許文献１に記載の技術では、電源をオフしなくとも入力画面の清掃を行なうことができる。しかし、清掃モードにおいて入力可能領域を誤って清掃すれば、情報入力装置の誤作動を引き起こすという問題がある。
【００１０】
また、特許文献２〜５に記載の技術では、１）入力画面の清掃を行なうために、所定の入力一時停止ボタン等を選択する必要があり、かつ、２）清掃モードに入ると、所定の期間の経過を待たなければ再び入力を受付ける状態とならないという問題がある。
【００１１】
特許文献６に記載の技術では、１）入力画面の清掃を行なうために清掃ボタンを選択する必要があり、かつ、２）清掃モードに入ると、所定の複数の入力を待たなければ再び通常の入力を受付ける状態とならないという問題がある。
【００１２】
本発明は、上記課題に鑑みてなされたものであり、入力停止ボタン等を設けることなく、入力画面への入力状況に応じて入力を無効とする新規な技術を提供することを主たる目的とする。
【課題を解決するための手段】
【００１３】
本発明に係る入力装置は、上記の課題を解決するために、対象物の像を検知して入力を受付ける面状部材と、当該対象物により選択された面状部材上の領域を検出する選択領域検出手段と、当該領域の広がりを検出する領域広さ検出手段と、当該領域の広がりが所定の基準値以上であるか否かを判定し、当該領域の広がりが所定の基準値以上である場合に、対象物による面状部材に対する入力を無効とする入力制御手段と、を備えることを特徴とした、誤入力防止機能が付加された入力装置である。
【００１４】
上記の構成によれば、入力停止ボタン等を設けることなく、近傍に位置する対象物による面状部材への入力状況に応じて入力を無効とすることができる。
【００１５】
なお、ここで、対象物により選択された面状部材上の領域がない場合（すなわち、対象物が面状部材の近傍にない場合）、上記領域広さ検出手段は、当該領域の広がりは無い（ゼロ）と判断する。
【００１６】
本発明に係る入力装置において、領域広さ検出手段は、面状部材上の各位置における対象物の像の検出の数の取得、又は、面状部材を複数の分割領域に分割した場合における、対象物により選択された当該分割領域の数の取得、により、前記領域の広がりを検出する構成であってもよい。
【００１７】
本発明に係る入力装置において、入力制御手段は、面状部材に対する入力を無効とした後、前記領域の広がりが所定の基準値未満となった場合に、面状部材に対する入力無効の状態を解除する構成であることが好ましい。この構成によれば、例えば、面状部材の清掃が終了した後、自動的に、面状部材に対する入力無効の状態を解除することが出来る。
【００１８】
本発明に係る入力装置において、装置の状態をユーザに知らしめるため、入力制御手段により対象物による面状部材に対する入力が無効とされている場合は、入力無効の旨を通知する画像を面状部材に表示する構成であってもよい。
【００１９】
本発明に係る入力装置において、面状部材に対する対象物の移動方向を検出する移動方向検出手段を備え、対象物の移動が往復移動又は反復性のある移動の何れかであり、かつ、領域広さ検出手段が検出した上記領域の広がりが所定の基準値以上である場合に、入力制御手段は面状部材に対する入力を無効とする構成であってもよい。この構成によれば、対象物の移動パターンにも基づいて入力無効の判断がなされるので、入力装置における入力制御をより正確に行なうことが出来る。
【００２０】
本発明に係る入力装置では、面状部材がフォトダイオード群を備え、当該フォトダイオード群が検出した受光量の変化に基づいて上記像を検知する構成であってもよい。
【００２１】
本発明に係る入力制御方法は、対象物の像を検知して入力を受付ける面状部材を備えた入力装置における入力制御方法であって、入力装置が行なう次の工程、（１）対象物により選択された面状部材上の領域を検出する選択領域検出工程、（２）当該領域の広がりを検出する領域広さ検出工程、（３）当該領域の広がりが所定の基準値以上であるか否かを判定し、当該領域の広がりが所定の基準値以上である場合に、対象物による面状部材に対する入力を無効とする入力制御工程、を含むことを特徴としている。
【００２２】
上記の構成によれば、本発明に係る入力装置と同様の作用効果を奏する。
【００２３】
また、本発明に係る入力装置を動作させるためのプログラムであって、コンピュータを上記の各手段として駆動させることを特徴とするプログラムおよび該プログラムを記録したコンピュータ読み取り可能な記録媒体を、本発明の実現に用いることもできる。
【発明の効果】
【００２４】
本発明に係る入力装置及び入力制御方法よれば、近傍に位置する対象物により選択された面状部材上の領域の広がりを検出して、当該領域の広がりが所定の基準値以上であるか否かを判定し、当該領域の広がりが所定の基準値以上である場合に、対象物による面状部材に対する入力を無効とする。これにより、入力停止ボタン等を設けることなく、対象物による面状部材への入力状況に応じて、当該入力を無効とすることができる。
【図面の簡単な説明】
【００２５】
【図１】本発明の一実施形態に係るデータ表示／センサ装置の外観を模式的に示す図である。（ａ）は通常モードにあるデータ表示／センサ装置の外観を、（ｂ）は清掃モードにあるデータ表示／センサ装置の外観を示す。
【図２】本発明の一実施形態に係るデータ表示／センサ装置が備えるセンサ内蔵液晶パネルの断面を模式的に示す図である。
【図３】図３（ａ）は、本発明の一実施形態に係るデータ表示／センサ装置が備えるセンサ内蔵液晶パネルにて反射像を検知することにより、ユーザがタッチした位置を検出する様子を示す模式図である。図３（ｂ）は、本発明の一実施形態に係るデータ表示／センサ装置が備えるセンサ内蔵液晶パネルにて影像を検知することにより、ユーザがタッチした位置を検出する様子を示す模式図である。
【図４】本発明の一実施形態に係るデータ表示／センサ装置の要部構成を示すブロック図である。
【図５】本発明の一実施形態に係るデータ表示／センサ装置で用いられるコマンドのフレーム構造の一例を模式的に示す図である。
【図６】図５に示したコマンドに含まれる各フィールドに指定可能な値の一例、および、その概要を説明する図である。
【図７】図７（ａ）は、本発明の一実施形態に係るデータ表示／センサ装置にて、対象物がセンサ内蔵液晶パネル上に置かれていないときに、センサ内蔵液晶パネル全体をスキャンした結果として得られる画像データである。図７（ｂ）は、本発明の一実施形態に係るデータ表示／センサ装置にて、ユーザが指でセンサ内蔵液晶パネルをタッチしているときに、スキャンした結果として得られる画像データである。
【図８】本発明の一実施形態に係るデータ表示／センサ装置が備えるセンサ内蔵液晶パネルの構成およびその周辺回路の構成を示すブロック図である。
【図９】本発明の一実施形態に係るデータ表示／センサ装置の構成を主制御部および記憶部を中心に示すブロック図である。
【図１０】本発明の一実施形態に係るデータ表示／センサ装置の動作の一例を説明するフローチャートである。
【図１１】図１１（ａ）及び図１１（ｂ）は、本発明の一実施形態に係るデータ表示／センサ装置にて、ユーザが雑巾でセンサ内蔵液晶パネルをタッチしているときに、スキャンした結果として得られる画像データである。図１１（ｃ）は、本発明の一実施形態に係るデータ表示／センサ装置にて、対象物がセンサ内蔵液晶パネル上に置かれていないときに、センサ内蔵液晶パネル全体をスキャンした結果として得られる画像データである。
【発明を実施するための形態】
【００２６】
（データ表示／センサ装置の動作の概要）
図１（ａ）・（ｂ）は、本発明の一実施形態に係るデータ表示／センサ装置（入力装置）１００の外観を模式的に示す図である。図１（ａ）・（ｂ）に示すように、データ表示／センサ装置１００は筐体の一面にセンサ内蔵液晶パネル（面状部材）３０１が配設されており、その長方形状のパネル面（表示面）にて画像の表示及び情報の入力を受付けるタッチパネル式の入力／表示装置である。
【００２７】
データ表示／センサ装置１００は、操作者による入力を受付ける通常モードと、センサ内蔵液晶パネル３０１のパネル面を清掃するための清掃モードとを有する。そして、後述するように、データ表示／センサ装置１００は、センサ内蔵液晶パネル３０１に対する入力状態に応じて、通常モードと清掃モードとが自動的に切替可能となっている。より具体的には例えば、データ表示／センサ装置１００は、センサ内蔵液晶パネル３０１に近接又は接触する対象物の大きさに応じて、通常モードと清掃モードとが自動的に切替可能となっている。
【００２８】
図１（ａ）に示すように、通常モードでは、センサ内蔵液晶パネル３０１の表示面に複数の入力キー３５０が表示されており、データ表示／センサ装置１００は、当該入力キー３５０にて操作者の指（対象物）６４による入力を受付ける。ただし、入力キー３５０は何れも、通常モードと清掃モードとの切替を行なうための入力キーではない。
【００２９】
一方、通常モードにおいて、センサ内蔵液晶パネル３０１のパネル面に雑巾（対象物）６５を近接又は接触させると、データ表示／センサ装置１００は、図１（ｂ）に示す清掃モードに自動的に移行する。清掃モードでは、データ表示／センサ装置１００は、センサ内蔵液晶パネル３０１のパネル面に、「入力無効中」の文字入りの全面黒系色の画像（入力無効画像）を表示する。清掃モードでは、センサ内蔵液晶パネル３０１に対する対象物による入力は全て無効とされ（受付けられない）るので、雑巾６５及び雑巾を取扱う手６６による誤入力の問題が生じない。そして、雑巾６５がパネル面に近接又は接触している期間は、清掃モードが継続する。
【００３０】
パネル面の清掃が終了し、雑巾６５が当該パネル面から離れると、データ表示／センサ装置１００は、自動的に、図１（ａ）に示す通常モードに再び移行し、入力キー３５０にて操作者の指６４による入力を再び受付ける。なお、清掃モードから通常モードへの移行は、雑巾６５がパネル面から離れたことをトリガーとして自動的に行なうことができ、例えば、１）データ表示／センサ装置１００は、雑巾６５がパネル面から離れると直ちに通常モードに復帰してもよく、或いは、２）データ表示／センサ装置１００は、雑巾６５がパネル面から離れた後、所定の時間が経過すると自動的に通常モードに復帰してもよい。
【００３１】
以上のように、データ表示／センサ装置１００の構成では、センサ内蔵液晶パネル３０１への入力状態（指による入力か、指より大きな雑巾による入力か）に応じて、通常モードと清掃モードとを自動的に切替える。これにより、データ表示／センサ装置１００は、入力停止ボタンやモード切替ボタン等を設けることなく、センサ内蔵液晶パネル３０１のパネル面の清掃時には、自動的に入力を無効とすることができる。
【００３２】
なお、指６４による入力の実行は、センサ内蔵液晶パネル３０１の表示面に指６４が接触又は近接したと同時に行われてもよく、或いは、指６４を当該表示面に一旦接触又は近接させた後、離す動作（アップ動作）がなされる際に行われてもよい。
【００３３】
また、ユーザは、指６４の他にも、タッチペンなどの遮光物を用いてセンサ内蔵液晶パネル３０１上を指示してもよい。
【００３４】
以下、上述した機能を実現する各部材の構成について詳細に説明する。まず、上記データ表示／センサ装置１００が備えるセンサ内蔵液晶パネル３０１の概要について説明する。
【００３５】
（センサ内蔵液晶パネルの概要）
上記データ表示／センサ装置１００が備えるセンサ内蔵液晶パネル３０１は、データの表示に加え、対象物の画像検出が可能な液晶パネルである。ここで、対象物の画像検出とは、例えば、ユーザが指やペンなどでポインティング（タッチ）した位置（すなわち選択領域）の検出や、印刷物などの画像の読み取り（スキャン）である。なお、表示に用いるデバイスは、液晶パネルに限定されるものではなく、有機ＥＬ（Electro Luminescence）パネルなどであってもよい。
【００３６】
図２を参照しながら、センサ内蔵液晶パネル３０１の構造について説明する。図２は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【００３７】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【００３８】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【００３９】
次に、図３（ａ）および図３（ｂ）を参照しながら、ユーザが、指やペンで、センサ内蔵液晶パネル３０１上をタッチした位置（選択領域）を検出する２種類の方法について説明する。
【００４０】
図３（ａ）は、反射像を検知することにより、ユーザがタッチした位置を検出する様子を示す模式図である。バックライト３０７から光６３が出射されると、フォトダイオード６を含む光センサ回路３２は、指６４などの対象物により反射された光６３を検知する。これにより、指６４などの対象物の反射像を検知することができる。このように、センサ内蔵液晶パネル３０１は、反射像を検知することにより、タッチした位置を検出することができる。
【００４１】
また、図３（ｂ）は、影像を検知することにより、ユーザがタッチした位置を検出する様子を示す模式図である。図３（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【００４２】
上述のように、フォトダイオード６は、バックライト３０７より出射された光の反射光（影像）を検知してもよいし、外光による影像を検知してもよい。また、上記２種類の検知方法を併用して、影像と反射像とを両方を同時に検知するようにしてもよい。
【００４３】
（データ表示／センサ装置の要部構成）
次に、図４を参照しながら、上記データ表示／センサ装置１００の要部構成について説明する。図４は、データ表示／センサ装置１００の要部構成を示すブロック図である。図示のように、データ表示／センサ装置１００は、１または複数の表示／光センサ部３００、回路制御部６００、データ処理部７００、主制御部８００、記憶部９０１、一次記憶部９０２、操作部９０３、外部通信部９０７、音声出力部９０８、および音声入力部９０９を備えている。ここでは、データ表示／センサ装置１００は、単一の表示／光センサ部３００を備えているものとして説明するが、複数備えていてもかまわない。
【００４４】
表示／光センサ部３００は、いわゆる光センサ内蔵液晶表示装置である。表示／光センサ部３００は、センサ内蔵液晶パネル３０１、バックライト３０７、それらを駆動するための周辺回路３０９を含んで構成される。
【００４５】
センサ内蔵液晶パネル３０１は、マトリクス状に配置された複数の画素回路３１および光センサ回路３２を含んで構成される。センサ内蔵液晶パネル３０１の詳細な構成については後述する。
【００４６】
周辺回路３０９は、液晶パネル駆動回路３０４、光センサ駆動回路３０５、信号変換回路３０６、バックライト駆動回路３０８を含む。
【００４７】
液晶パネル駆動回路３０４は、回路制御部６００の表示制御部６０１からのタイミング制御信号（ＴＣ１）およびデータ信号（Ｄ）に従って、制御信号（Ｇ）およびデータ信号（Ｓ）を出力し、画素回路３１を駆動する回路である。画素回路３１の駆動方法の詳細については後述する。
【００４８】
光センサ駆動回路３０５は、回路制御部６００のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【００４９】
信号変換回路３０６は、光センサ回路３２から出力されるセンサ出力信号（ＳＳ）をデジタル信号（ＤＳ）に変換し、該変換後の信号をセンサ制御部６０２に送信する回路である。
【００５０】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【００５１】
バックライト駆動回路３０８は、回路制御部６００のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。
【００５２】
次に、回路制御部６００について説明する。回路制御部６００は、表示／光センサ部３００の周辺回路３０９を制御するデバイスドライバとしての機能を備えるものである。回路制御部６００は、表示制御部６０１、センサ制御部６０２、バックライト制御部６０３、および表示データ記憶部６０４を備えている。
【００５３】
表示制御部６０１は、データ処理部７００の表示データ処理部７０１から表示データを受信するとともに、表示データ処理部７０１からの指示に従って、表示／光センサ部３００の液晶パネル駆動回路３０４に、タイミング制御信号（ＴＣ１）およびデータ信号（Ｄ）を送信し、上記受信した表示データをセンサ内蔵液晶パネル３０１に表示させる。
【００５４】
なお、表示制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【００５５】
センサ制御部６０２は、データ処理部７００のセンサデータ処理部７０３からの指示に従って、表示／光センサ部３００の光センサ駆動回路３０５に、タイミング制御信号（ＴＣ２）を送信し、センサ内蔵液晶パネル３０１にてスキャンを実行させる。
【００５６】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【００５７】
バックライト制御部６０３は、表示データ処理部７０１およびセンサデータ処理部７０３からの指示に従って、表示／光センサ部３００のバックライト駆動回路３０８に制御信号（ＢＫ）を送信し、バックライト３０７を駆動させる。
【００５８】
なお、データ表示／センサ装置１００が、複数の表示／光センサ部３００を備える場合、表示制御部６０１は、データ処理部７００から、どの表示／光センサ部３００にて表示データを表示するかの指示を受けたとき、当該指示に応じた表示／光センサ部３００の液晶パネル駆動回路３０４を制御する。また、センサ制御部６０２は、データ処理部７００から、どの表示／光センサ部３００にて対象物のスキャンを行なうかの指示を受けたとき、当該指示に応じた表示／光センサ部３００の光センサ駆動回路３０５を制御するとともに、当該指示に応じた表示／光センサ部３００の信号変換回路３０６からデジタル信号（ＤＳ）を受信する。
【００５９】
次に、データ処理部７００について説明する。データ処理部７００は、主制御部８００から受信する「コマンド」に基づいて、回路制御部６００に指示を与えるミドルウェアとしての機能を備えるものである。なお、コマンドの詳細については後述する。
【００６０】
データ処理部７００は、表示データ処理部７０１およびセンサデータ処理部７０３を備えている。そして、データ処理部７００が、主制御部８００からコマンドを受信すると、該受信したコマンドに含まれる各フィールド（後述する）の値に応じて、表示データ処理部７０１およびセンサデータ処理部７０３の少なくとも一方が動作する。
【００６１】
表示データ処理部７０１は、主制御部８００から表示データを受信するとともに、データ処理部７００が受信したコマンドに従って、表示制御部６０１およびバックライト制御部６０３に指示を与え、上記受信した表示データをセンサ内蔵液晶パネル３０１に表示させる。なお、コマンドに応じた、表示データ処理部７０１の動作については、後述する。
【００６２】
センサデータ処理部７０３は、データ処理部７００が受信したコマンドに従って、センサ制御部６０２およびバックライト制御部６０３に指示を与える。
【００６３】
また、センサデータ処理部７０３は、センサ制御部６０２から画像データを受信し、当該画像データをそのまま画像データバッファ７０４に格納する。そして、センサデータ処理部７０３は、データ処理部７００が受信したコマンドに従って、画像データバッファ７０４に記憶されている画像データに基づいて、「全体画像データ」、「部分画像データ」、および「座標データ」の少なくともいずれか１つを、主制御部８００に送信する。なお、全体画像データ、部分画像データ、および座標データについては、後述する。また、コマンドに応じた、センサデータ処理部７０３の動作については、後述する。
【００６４】
次に、主制御部８００は、アプリケーションプログラムを実行するものである。主制御部８００は、記憶部９０１に格納されているプログラムを、例えばＲＡＭ（Random Access Memory）などで構成される一次記憶部９０２に読み出して実行する。
【００６５】
主制御部８００で実行されるアプリケーションプログラムは、センサ内蔵液晶パネル３０１に表示データを表示させたり、センサ内蔵液晶パネル３０１にて対象物のスキャンを行なわせるために、データ処理部７００に対して、コマンドおよび表示データを送信する。また、コマンドに「データ種別」を指定した場合は、当該コマンドの応答として、全体画像データ、部分画像データ、および座標データの少なくともいずれか１つを、データ処理部７００から受信する。
【００６６】
なお、回路制御部６００、データ処理部７００、および主制御部８００は、それぞれ、ＣＰＵ（Central Processing Unit）およびメモリなどで構成することができる。また、データ処理部７００は、ＡＳＩＣ（application specific integrate circuit）などの回路で構成されていてもよい。
【００６７】
次に、記憶部９０１は、図示のように、主制御部８００が実行するプログラムおよびデータを格納するものである。なお、主制御部８００が実行するプログラムは、アプリケーション固有のプログラムと、各アプリケーションが共用可能な汎用プログラムとに分離されていてもよい。
【００６８】
次に、操作部９０３は、データ表示／センサ装置１００のユーザの入力操作を受けつけるものである。操作部９０３は、例えば、スイッチ、リモコン、マウス、キーボードなどの入力デバイスで構成される。そして、操作部９０３は、データ表示／センサ装置１００のユーザの入力操作に応じた制御信号を生成し、該生成した制御信号を主制御部８００へ送信する。
【００６９】
なお、上記スイッチの例としては、電源のオンとオフとを切り替える電源スイッチ９０５、予め所定の機能が割り当てられているユーザスイッチ９０６などのハードウェアスイッチを想定している。
【００７０】
その他、データ表示／センサ装置１００は、無線／有線通信によって外部装置と通信を行なうための外部通信部９０７、音声を出力するためのスピーカなどの音声出力部９０８、音声信号を入力するためのマイクなどの音声入力部９０９などを適宜備えていてもよい。
【００７１】
（コマンドの詳細）
次に、図５および図６を参照しながら、主制御部８００からデータ処理部７００に送信されるコマンドの詳細について説明する。図５は、コマンドのフレーム構造の一例を模式的に示す図である。また、図６は、コマンドに含まれる各フィールドに指定可能な値の一例、および、その概要を説明する図である。
【００７２】
図５に示すように、コマンドは、「ヘッダ」、「データ取得タイミング」、「データ種別」、「スキャン方式」、「スキャン画像階調」、「スキャン解像度」、「スキャンパネル」、「表示パネル」、および「予備」の各フィールドを含んでいる。そして、各フィールドには、例えば、図６に示す値が指定可能である。
【００７３】
「ヘッダ」フィールドは、フレームの開始を示すフィールドである。「ヘッダ」フィールドであることが識別可能であれば、「ヘッダ」フィールドの値は、どのような値であってもよい。
【００７４】
次に、「データ取得タイミング」フィールドは、データを主制御部８００へ送信すべきタイミングを指定するフィールドである。「データ取得タイミング」フィールドには、例えば、“00”（センス）、“01”（イベント）、および“10”（オール）という値が指定可能である。
【００７５】
ここで、“センス”は、最新のデータを直ちに送信することを指定するものである。よって、センサデータ処理部７０３は、「データ取得タイミング」フィールドの値が“センス”であるコマンドを受信すると、「データ種別」フィールドにて指定されている最新のデータを、直ちに、主制御部８００に送信する。
【００７６】
また、“イベント”は、センサ制御部６０２から受信する画像データに変化が生じたタイミングで送信することを指定するものである。よって、センサデータ処理部７０３は、「データ取得タイミング」フィールドの値が“イベント”であるコマンドを受信すると、「データ種別」フィールドにて指定されているデータを、センサ制御部６０２から受信する画像データに、所定の閾値より大きい変化が生じたタイミングで、主制御部８００に送信する。
【００７７】
また、“オール”は、所定周期でデータを送信することを指定するものである。よって、センサデータ処理部７０３は、「データ取得タイミング」フィールドの値が“オール”であるコマンドを受信すると、「データ種別」フィールドにて指定されているデータを、所定周期で、主制御部８００に送信する。なお、上記所定周期は、光センサ回路３２にてスキャンを行なう周期と一致する。
【００７８】
次に、「データ種別」フィールドは、センサデータ処理部７０３から取得するデータの種別を指定するフィールドである。なお、「データ種別」フィールドには、例えば、“001”（座標）、“010”（部分画像）、および“100”（全体画像）という値が指定可能である。さらに、これらの値を加算することによって、“座標”と、“部分画像”／“全体画像”とを、同時に指定可能である。例えば、“座標”と“部分画像”とを同時に指定する場合、“011”と指定することができる。
【００７９】
センサデータ処理部７０３は、「データ種別」フィールドの値が“全体画像”であるコマンドを受信すると、画像データバッファ７０４に記憶している画像データそのものを主制御部８００に送信する。画像データバッファ７０４に記憶している画像データそのものを、「全体画像データ」と称する。
【００８０】
また、センサデータ処理部７０３は、「データ種別」フィールドの値が“部分画像”であるコマンドを受信すると、センサ制御部６０２から受信する画像データから、所定の閾値より大きい変化が生じた部分を含む領域を抽出し、該抽出した領域の画像データを主制御部８００に送信する。ここで、当該画像データを、「部分画像データ」と称する。なお、上記部分画像データが複数抽出された場合、センサデータ処理部７０３は、該抽出されたそれぞれの部分画像データを主制御部８００に送信する。
【００８１】
さらに、センサデータ処理部７０３は、「データ種別」フィールドの値が“部分画像”であるコマンドを受信したとき、部分画像データにおける代表座標を検出し、当該代表座標の部分画像データにおける位置を示す座標データを主制御部８００に送信する。なお、上記代表座標とは、例えば、上記部分画像データの中心の座標、上記部分画像データの重心の座標などが挙げられる。
【００８２】
加えて、センサデータ処理部７０３は、上記部分画像データに含まれる代表座標以外の座標も検出し、当該座標の部分画像データ又は全体画像データにおける位置を示す座標データを主制御部８００に送信する。代表座標以外の座標の例としては、部分画像データの輪郭部分を構成する画素に対応した座標（「端点座標」と称する）も含まれる。
【００８３】
次に、センサデータ処理部７０３は、「データ種別」フィールドの値が“座標”であるコマンドを受信すると、上記代表座標及び端点座標等の、全体画像データにおける位置を示す座標データを主制御部８００に送信する。なお、上記部分画像データが複数抽出された場合、センサデータ処理部７０３は、該抽出された、それぞれの部分画像データの、全体画像データにおける代表座標及び端点座標等を検出し、当該代表座標及び端点座標等を示す座標データのそれぞれを主制御部８００に送信する。
【００８４】
なお、全体画像データ、部分画像データ、および座標データの具体例については、模式図を参照しながら後述する。
【００８５】
次に、「スキャン方式」フィールドは、スキャン実行時に、バックライト３０７を点灯するか否かを指定するフィールドである。「スキャン方式」フィールドには、例えば、“00”（反射）、“01”（透過）、および“10”（反射／透過）という値が指定可能である。
【００８６】
“反射”は、バックライト３０７を点灯した状態でスキャンを行なうことを指定するものである。よって、センサデータ処理部７０３は、「スキャン方式」フィールドの値が“反射”であるコマンドを受信すると、光センサ駆動回路３０５とバックライト駆動回路３０８とが同期して動作するように、センサ制御部６０２とバックライト制御部６０３とに指示を与える。
【００８７】
また、“透過”は、バックライト３０７を消灯した状態でスキャンを行なうことを指定するものである。よって、センサデータ処理部７０３は、「スキャン方式」フィールドの値が“透過”であるコマンドを受信すると、光センサ駆動回路３０５を動作させ、バックライト駆動回路３０８と動作させないようにセンサ制御部６０２とバックライト制御部６０３とに指示を与える。なお、“反射／透過”は、“反射”と“透過”とを併用してスキャンを行なうことを指定するものである。
【００８８】
次に、「スキャン画像階調」フィールドは、部分画像データおよび全体画像データの階調を指定するフィールドである。「スキャン画像階調」フィールドには、例えば、“00”（２値）、および“01”（多値）という値が指定可能である。
【００８９】
ここで、センサデータ処理部７０３は、「スキャン画像階調」フィールドの値が“２値”であるコマンドを受信すると、部分画像データおよび全体画像データをモノクロデータとして、主制御部８００に送信する。
【００９０】
また、センサデータ処理部７０３は、「スキャン画像階調」フィールドの値が“多値”であるコマンドを受信すると、部分画像データおよび全体画像データを多階調データとして、主制御部８００に送信する。
【００９１】
次に、「スキャン解像度」フィールドは、部分画像データおよび全体画像データの解像度を指定するフィールドである。「解像度」フィールドには、例えば、“0”（高）および“1”（低）という値が指定可能である。
【００９２】
ここで、“高”は、高解像度を指定するものである。よって、センサデータ処理部７０３は、「スキャン解像度」フィールドの値が“高”であるコマンドを受信すると、部分画像データおよび全体画像データを高解像度で主制御部８００に送信する。例えば、画像認識などの画像処理を行なう対象の画像データ（指紋などの画像データ）には、“高”を指定することが望ましい。
【００９３】
また、“低”は、低解像度を指定するものである。よって、センサデータ処理部７０３は、「スキャン解像度」フィールドの値が“低”であるコマンドを受信すると、部分画像データおよび全体画像データを低解像度で主制御部８００に送信する。例えば、タッチした位置などが分かる程度でよい画像データ（タッチした指や手の画像データなど）には、“低”を指定することが望ましい。
【００９４】
次に、「スキャンパネル」フィールドは、データ表示／センサ装置１００が、複数の表示／光センサ部３００を備えているときに、どの表示／光センサ部３００にて対象物のスキャンを行なうかを指定するフィールドである。「スキャンパネル」フィールドには、例えば、“001”（一番目の表示／光センサ部３００）、“010”（二番目の表示／光センサ部３００）という値が指定可能である。なお、これらの値を加算することによって、複数の表示／光センサ部３００を同時に指定可能である。例えば、一番目と二番目の両方の表示／光センサ部３００を同時に指定する場合、“011”と指定することができる。
【００９５】
ここで、センサデータ処理部７０３は、受信したコマンドの「スキャンパネル」フィールドの値に従って、指定された表示／光センサ部３００の光センサ駆動回路３０５およびバックライト駆動回路３０８を制御するように、センサ制御部６０２およびバックライト制御部６０３に指示を与える。
【００９６】
次に、「表示パネル」フィールドは、データ表示／センサ装置１００が、複数の表示／光センサ部３００を備えているときに、どの表示／光センサ部３００にて表示データを表示させるかを指定するフィールドである。「表示パネル」フィールドには、例えば、“001”（一番目の表示／光センサ部３００）、“010” （二番目の表示／光センサ部３００）という値が指定可能である。なお、これらの値を加算することによって、複数の表示／光センサ部３００を同時に指定可能である。例えば、一番目と二番目の両方の表示／光センサ部３００を同時に指定する場合、“011”と指定することができる。
【００９７】
ここで、表示データ処理部７０１は、例えば、「表示パネル」フィールドの値が表示／光センサ部３００であるコマンドを受信すると、表示／光センサ部３００に表示データを表示させるために、表示／光センサ部３００の液晶パネル駆動回路３０４およびバックライト駆動回路３０８を制御するように、表示制御部６０１およびバックライト制御部６０３に指示を与える。
【００９８】
次に、「予備」フィールドは、上述したフィールドにて指定可能な情報以外の情報をさらに指定する必要がある場合に、適宜指定されるフィールドである。
【００９９】
なお、主制御部８００にて実行されるアプリケーションは、コマンドを送信するにあたり、上述したフィールドを全て使用する必要はなく、使用しないフィールドには無効値（ＮＵＬＬ値など）を設定しておけばよい。
【０１００】
また、ユーザが指やペンなどでタッチした位置の座標データを取得したいときは、「データ種別」フィールドに“座標”を指定したコマンドをデータ処理部７００に送信することとなるが、指やペンなどは動きがあるため、さらに、当該コマンドの「データ取得タイミング」フィールドに“オール”を指定し、座標データを取得するようにすることが望ましい。また、タッチした位置の座標データが取得できればよいため、スキャンの精度は高くなくてもよい。したがって、上記コマンドの「解像度」フィールドの値は“低”を指定しておけばよい。
【０１０１】
また、コマンドの「データ種別」フィールドに“座標”を指定した場合において、例えば、ユーザが、複数の指やペンなどでセンサ内蔵液晶パネル３０１を同時にタッチした場合は、該タッチした位置の座標データのそれぞれを取得することができる（多点検出）。
【０１０２】
また、原稿などの対象物の画像データを取得する場合、「データ種別」フィールドに“全体画像”を指定したコマンドをデータ処理部７００に送信することとなるが、原稿などの対象物は、通常、静止させた状態でスキャンを実行することが一般的であるため、周期的にスキャンを実行する必要はない。従って、この場合は、「データ取得タイミング」フィールドに“センス”または“イベント”を指定することが望ましい。なお、原稿などの対象物をスキャンするときは、ユーザが文字を読みやすいように、スキャン精度は高い方が望ましい。したがって、「解像度」フィールドには“高”を指定することが望ましい。
【０１０３】
（全体画像データ／部分画像データ／座標データ）
次に、図７を参照しながら、全体画像データ、部分画像データ、および座標データについて、例を挙げて説明する。図７（ａ）に示す画像データは、対象物がセンサ内蔵液晶パネル３０１上に置かれていないときに、センサ内蔵液晶パネル３０１全体をスキャンした結果として得られる画像データである。また、図７（ｂ）に示す画像データは、ユーザが指６４でセンサ内蔵液晶パネル３０１をタッチしているときに、センサ内蔵液晶パネル３０１全体をスキャンした結果として得られる画像データである。
【０１０４】
ユーザが指６４でセンサ内蔵液晶パネル３０１をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる。
【０１０５】
図７（ｂ）に示す画像データでは、図７（ａ）に示す画像データと比べると、ユーザの指６４に該当する部分の画素値の明度が高くなっている。そして、図７（ｂ）に示す画像データにおいて、明度が所定の閾値より大きく変化している画素値を全て含む最小の矩形領域（領域ＰＰ）が、“部分画像データ”である。
【０１０６】
なお、領域ＡＰで示される画像データが、“全体画像データ”である。
【０１０７】
また、部分画像データ（領域ＰＰ）の代表座標Ｚの、全体画像データ（領域ＡＰ）における座標データは（Ｘａ,Ｙａ）であり、部分画像データ（領域ＰＰ）における座標データは（Ｘｐ,Ｙｐ）である。
【０１０８】
なお、本発明において、上記の部分画像データに含まれる、明度が所定の閾値より大きく変化している画素からなる領域は、指（対象物）６４により選択された、センサ内蔵液晶パネル３０１の領域（選択領域３６０）に相当する。
【０１０９】
また、データ表示／センサ装置１００では、ユーザの使用時におけるセンサ内蔵液晶パネル３０１（図１参照）の左右方向をＸ軸、上下方向（すなわち縦方向）をＹ軸として座標軸が設定されており、当該ＸＹ座標軸にかかる情報は記憶部９０１（図４参照）に格納されている。なお、Ｘ軸とＹ軸との交点、すなわち座標軸の原点は、例えば、センサ内蔵液晶パネル３０１のパネル面の重心に固定してもよい。
【０１１０】
（センサ内蔵液晶パネルの構成）
次に、図８を参照しながら、センサ内蔵液晶パネル３０１の構成、および、センサ内蔵液晶パネル３０１の周辺回路３０９の構成について説明する。図８は、表示／光センサ部３００の要部、特に、センサ内蔵液晶パネル３０１の構成および周辺回路３０９の構成を示すブロック図である。
【０１１１】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂの総称として用いる。
【０１１２】
画素回路３１は、センサ内蔵液晶パネル３０１上の列方向（縦方向）にｍ個、行方向（横方向）に３ｎ個配置される。そして、Ｒ画素回路３１ｒ、Ｇ画素回路３１ｇ、およびＢ画素回路３１ｂの組が、行方向（横方向）に連続して配置される。この組が１つの画素を形成する。
【０１１３】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【０１１４】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【０１１５】
光センサ回路３２にて光の強度に応じた電圧を出力させるためには、まず、コンデンサ３５の一方の電極に接続されているセンサ読み出し線ＲＷiと、フォトダイオード３６のアノード端子に接続されているセンサリセット線ＲＳiとに所定の電圧を印加する。この状態において、フォトダイオード３６に光が入射されると、入射した光量に応じた電流がフォトダイオード３６に流れる。そして、当該電流に応じて、コンデンサ３５の他方の電極とフォトダイオード３６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【０１１６】
次に、センサ内蔵液晶パネル３０１の周辺回路である、液晶パネル駆動回路３０４、光センサ駆動回路３０５、およびセンサ出力アンプ４４について説明する。
【０１１７】
液晶パネル駆動回路３０４は、画素回路３１を駆動するための回路であり、走査信号線駆動回路３０４１およびデータ信号線駆動回路３０４２を含んでいる。
【０１１８】
走査信号線駆動回路３０４１は、表示制御部６０１から受信したタイミング制御信号ＴＣ１に基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【０１１９】
データ信号線駆動回路３０４２は、表示制御部６０１から受信した表示データＤ（ＤＲ、ＤＧ、およびＤＢ）に基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【０１２０】
光センサ駆動回路３０５は、光センサ回路３２を駆動するための回路である。光センサ駆動回路３０５は、センサ制御部６０２から受信したタイミング制御信号ＴＣ２に基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２に基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【０１２１】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
【０１２２】
（データ表示／センサ装置のより詳細な構成例）
次に、図９を参照しながら、データ表示／センサ装置１００のより詳細な構成について説明する。なお、ここでは、説明を分かりやすくするために、主制御部８００と表示／光センサ部３００との間に位置するデータ処理部７００および回路制御部６００（図４参照）の動作については説明を省略する。ただし、正確には、データの表示および対象物のスキャンを行なうにあたり、主制御部８００の各部が、データ処理部７００にコマンドを送信し、データ処理部７００がコマンドに基づいて回路制御部６００を制御し、回路制御部６００が表示／光センサ部３００に対して信号を送信する。また、主制御部８００は、データ処理部７００に対して送信したコマンドに対する応答として、データ処理部７００から、全体画像データ、部分画像データ、および座標データを取得する。
【０１２３】
図９は、本実施形態に係るデータ表示／センサ装置１００の構成を主制御部８００および記憶部９０１を中心に示すブロック図である。図９に示すように、主制御部８００は、選択領域検出部（選択領域検出手段）１２、領域広さ検出部（領域広さ検出手段）１３、移動方向検出部（移動方向検出手段）１４、入力制御部（入力制御手段）１５、入力認識部１６および画像切替部１７を備えている。また、記憶部９０１は、基準値記憶部（記憶手段）２１、画像データ記憶部２３を備えている。
【０１２４】
次に、図９から図１１（ｃ）を参照しながら、データ表示／センサ装置１００の動作の一例について説明する。図１０は、本実施形態に係るデータ表示／センサ装置１００の動作を説明するフローチャートである。
【０１２５】
ステップＳ１では、データ表示／センサ装置１００は、初期設定として、センサ内蔵液晶パネル３０１上にアプリケーション画面、すなわち指６４による入力を受付けるための入力キー３５０を含んだ画面を表示する（図１(ａ)も参照）。なお、ステップＳ１は、必要に応じて開始されればよく、例えば、アプリケーションの開始とともに開始される。
【０１２６】
次に、ステップＳ２において、データ表示／センサ装置１００は、センサ内蔵液晶パネル３０１上の、指６４や雑巾６５（対象物）により選択された領域（「選択領域」と称する：選択領域３６０等に相当（図７（ｂ）参照））を検出する。一実施形態において、選択領域検出部１２が、センサデータ処理部７０３から選択領域に含まれる代表座標Ｚ及びその他の座標の座標データを取得するとともに、これら座標データを領域広さ検出部１３での算出処理に供する。
【０１２７】
詳しく述べれば、選択領域検出部１２は、データ処理部７００に対して、「データ種別」を”座標”、「データ取得タイミング」を、”イベント”とした上記コマンドを送る。選択領域検出部１２は、上記コマンドの応答としてセンサデータ処理部７０３から得られた上記座標データにより、センサ内蔵液晶パネル３０１の表示面内における選択領域の位置を認識する。次いで、この座標データを、領域広さ検出部１３での面積の算出処理に供する。なお、選択領域検出部１２が、データ取得のタイミングおよび取得データの変化の判定を行なう場合には、上記コマンドの「データ取得タイミング」は、”オール”または”センス”としてもよい。
【０１２８】
なお、ステップＳ２は、センサ内蔵液晶パネル３０１に対象物が近接又は接触するたびに行なわれる。
【０１２９】
次に、ステップＳ３において、データ表示／センサ装置１００は、選択領域の広さとしてその面積を算出する。一実施形態において、領域広さ検出部１３が、選択領域検出部１２から供された選択領域の全端点座標データに基づいて、当該選択領域に対応する画素の数をもとめる。ここで、光センサ回路３２は所定の画素数（Ｎ個とする）毎に配置され、かつ複数の画素はマトリクス状に形成されているから、一画素の面積をＳとすれば、選択領域に対応した光センサ回路３２の数と上記ＮとＳとを積算することで、当該選択領域の面積を算出することができる。なお、選択領域の面積をより正確に算出する目的では、光センサ回路３２が一画素毎に配置される構成がより好ましい。
【０１３０】
次に、ステップＳ４において、データ表示／センサ装置１００は、ステップＳ３で検出した選択領域の面積が、所定の基準値以上であるか否かを判定する。一実施形態において、入力制御部１５が、基準値記憶部２１から供された所定の基準値と、ステップＳ３で検出した選択領域の面積とを比較する。
【０１３１】
ここで、基準値記憶部２１が格納する「所定の基準値」とは、センサ内蔵液晶パネル３０１に対する入力に用いる対象物（「入力用対象物」と称する）による入力と、当該入力用対象物より大きな対象物（「非入力用対象物」と称する）による入力とを区別するための、選択領域の面積の閾値である。
【０１３２】
従って、「所定の基準値」は、上記入力用対象物が、センサ内蔵液晶パネル３０１に近接又は接触した場合に通常想定される選択領域の面積より大きい値に設定される。かつ、当該「所定の基準値」は、非入力用対象物（雑巾６５等）が、センサ内蔵液晶パネル３０１に近接又は接触した場合に通常想定される選択領域の面積より小さい値であることが好ましい。すなわち、「所定の基準値」は、想定される入力用対象物の種類、想定される非入力用対象物の種類、及びセンサ内蔵液晶パネル３０１を有するデータ表示／センサ装置１００の設置環境、等に応じて適宜設定される値である。
【０１３３】
複数種の入力用対象物を併用した入力が想定される場合、一例において、基準値記憶部２１は、上記入力用対象物の種類（指、タッチペン、その他）毎に応じた所定の基準値を格納してもよい。そして、センサ内蔵液晶パネル３０１が、指操作モードにあるときは指に応じた所定の基準値を、タッチペン操作モードにあるときにはタッチペンに応じた所定の基準値を、基準値記憶部２１から入力制御部１５に対して供する構成としてもよい。或いは、複数種の入力用対象物のうち、センサ内蔵液晶パネル３０１のパネル面（表示面／入力面）に対する接触面積が最も大きい入力用対象物を基準として、上記「所定の基準値」を一つ設定することもできる。
【０１３４】
ステップＳ４において、選択領域の面積が所定の基準値以上ではない（すなわち、所定の基準値未満）と判定された場合は、センサ内蔵液晶パネル３０１のアプリケーション画面が入力用対象物（指６４等）によって選択されたと想定される。従って、ステップＳ５に進み、データ表示／センサ装置１００は、アプリケーション画面に対する入力を有効として受付ける。一実施形態において、入力認識部１６が、ステップＳ３での入力制御部１５による判定結果を受けて、対象物による入力を有効と判断する。そして、入力認識部１６による当該判断結果がデータ処理部７００に供されて、当該入力に応じたアプリケーションが実行される。そして、ステップＳ５が終了すると、データ表示／センサ装置１００は、ステップＳ２に戻り、アプリケーション画面に対する新たな入力を待つ。
【０１３５】
一方、ステップＳ４において、選択領域の面積が所定の基準値以上と判定された場合は、センサ内蔵液晶パネル３０１のアプリケーション画面が、非入力用対象物（雑巾６５等）によって選択されたと想定される。従って、ステップＳ６に進み、データ表示／センサ装置１００は、対象物による、アプリケーション画面に対する入力を無効と判断する。一実施形態において、入力制御部１５が、上記アプリケーション画面に対する入力を無効と判断し、当該判断結果をデータ処理部７００に供する。これにより、データ表示／センサ装置１００は、アプリケーションの実行を中止し、通常モードから清掃モードへとモードの切替を行なう。
【０１３６】
ステップＳ６ではさらに、データ表示／センサ装置１００は、センサ内蔵液晶パネル３０１に対する入力が無効である旨を通知する画面（「入力無効画面」と称する）を、当該センサ内蔵液晶パネル３００のパネル面（表示面）に表示する（図１（ｂ）参照）。一実施形態において、入力制御部１５が、対象物による入力が無効である旨の判断結果を、画像切替部１７に供する。この判断結果を受けて、画像切替部１７は、画像データ記憶部２３に格納された上記入力無効画面に対応する画像データを、データ処理部７００に供する。これにより、データ表示／センサ装置１００は、上記入力無効画面を、センサ内蔵液晶パネル３００のパネル面に表示する。
【０１３７】
清掃モードの期間中（ステップＳ６以降）、データ表示／センサ装置１００は、対象物によるセンサ内蔵液晶パネル３０１に対する入力を無効と判断し続ける。並行して、ステップＳ７において、データ表示／センサ装置１００は、入力無効画面を表示しているセンサ内蔵液晶パネル３０１上の、対象物により選択された領域（選択領域）を、常時検出する。一実施形態において、選択領域検出部１２が、センサデータ処理部７０３から選択領域に含まれる代表座標Ｚ及びその他の座標の座標データを取得するとともに、これら座標データを領域広さ検出部１３での算出処理に供する。なお、ステップＳ７は、上記ステップＳ２と共通の動作により実現される。
【０１３８】
次に、ステップＳ８において、データ表示／センサ装置１００は、ステップＳ７にて検出された選択領域の面積を算出する。なお、ステップＳ８は、上記ステップＳ３と共通の動作により実現される。
【０１３９】
図１１（ａ）〜図１１（ｃ）は、上記のステップＳ７及びＳ８において検出及び面積算出の対象となる選択領域の画像データの一例を示す。図１１（ａ）及び図１１（ｂ）に示す画像データは、センサ内蔵液晶パネル３０１のパネル面を雑巾６５により清掃中に、センサ内蔵液晶パネル３０１全体をスキャンした結果として得られる画像データである。また、図１１（ｃ）に示す画像データは、上記パネル面の清掃が終了し、雑巾６５が当該パネル面から離れたときに、センサ内蔵液晶パネル３０１全体をスキャンした結果として得られる画像データである。
【０１４０】
ユーザが雑巾６５でセンサ内蔵液晶パネル３０１をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる（図４も参照）。
【０１４１】
なお、本発明において、明度が所定の閾値より大きく変化している画素からなる領域は、雑巾（対象物）６５により選択された、センサ内蔵液晶パネル３０１の領域（「選択領域」：選択領域３６０ａ・３６０ｂ）に相当する。図１１（ａ）は例えば、センサ内蔵液晶パネル３０１に対して雑巾６５をしっかり押し当てながら清掃する状態、又は、上記所定の閾値をより緩めに設定した状態で得られる画像データである。また、図１１（ｂ）は例えば、指の腹と掌の一部とで雑巾６５を支持しながらセンサ内蔵液晶パネル３０１を清掃する状態、又は、上記所定の閾値をより厳しく設定した状態で得られる画像データである。
【０１４２】
上記ステップＳ８において、データ表示／センサ装置１００は、図１１（ａ）に示す場合には選択領域３６０ａの面積を計算し、図１１（ｂ）に示す場合には複数の選択領域３６０ｂの面積の合計値を計算し、また、図１１（ｃ）に示す場合には、対象物による選択領域が無いので、選択領域の面積は０（ゼロ）とする。次いで、ステップＳ９に進む。
【０１４３】
ステップＳ９において、データ表示／センサ装置１００は、ステップＳ８で検出した選択領域の面積が、所定の基準値以上であるか否かを判定する。一実施形態において、入力制御部１５が、基準値記憶部２１から供された所定の基準値と、ステップＳ８で検出した選択領域の面積とを比較する。なお、ステップＳ９は、上記ステップＳ４と共通の動作により実現され、「所定の基準値」もステップＳ４と同じ値が使用されてよい。
【０１４４】
ステップＳ９において、選択領域の面積が所定の基準値以上と判定された場合は、センサ内蔵液晶パネル３０１の入力無効画面が、非入力用対象物（雑巾６５等）によって選択され続けていると想定される。例えば、雑巾６５による、センサ内蔵液晶パネル３０１の清掃が継続していると想定される。従って、ステップＳ６に戻り、データ表示／センサ装置１００は、対象物による、入力無効画面に対する入力を無効と判断している状態を継続する。例えば、図１１（ａ）又は図１１（ｂ）に示す状態が継続している間（清掃中）は、ステップＳ６からステップＳ９の各ステップを繰り返す。
【０１４５】
一方、ステップＳ９において、選択領域の面積が所定の基準値以上ではない（すなわち、所定の基準値未満）と判定された場合は、データ表示／センサ装置１００は、雑巾６５による清掃が終了したと判定してステップＳ１０に進み、センサ内蔵液晶パネル３０１のパネル面（表示面）に再びアプリケーション画像を表示する（図１（ａ）参照）。例えば、図１１（ｃ）に示す状態になれば、清掃が終了していると考えられるので、ステップＳ１０に進む。一実施形態において、入力制御部１５が、ステップＳ９での判定結果を、画像切替部１７に供する。この判定結果を受けて、画像切替部１７は、画像データ記憶部２３に格納された上記アプリケーション画面に対応する画像データを、データ処理部７００に供する。これにより、データ表示／センサ装置１００は、上記アプリケーション画面を、センサ内蔵液晶パネル３００のパネル面に表示する。さらに、入力制御部１５が、ステップＳ９での判定結果をデータ処理部７００に供することで、データ表示／センサ装置１００は、センサ内蔵液晶パネル３００に対する、対象物による入力を無効と判断する状態を終了する。
【０１４６】
ステップＳ１０が終了すると、データ表示／センサ装置１００は、ステップＳ２に戻り、アプリケーション画面に対する新たな入力を待つ。
【０１４７】
なお、ここでは、ステップＳ１及びＳ１０において、アプリケーション画面が、センサ内蔵液晶パネル３００上に表示されるものを例示したが、特にこれに限定されない。例えば、センサ内蔵液晶パネルの面内に、少なくとも一部の入力キーを予めプリントした構成であってもよい。なお、予めプリントした入力キーを用いる場合にはステップＳ１及びステップＳ１０は省略される。
【０１４８】
特にこの用途に限定されないが、本発明に係るデータ表示／センサ装置１００は、例えば、ＰＯＳ端末や、ガソリンスタンドのサービスステーション（「ＳＳ」と称する）外設機などとして好適である。特に、ＳＳ業、飲食店では、入力画面に汚れが多くつく可能性が高い。ＰＯＳ端末及び上記ＳＳ外設機などでタッチパネル式の入力画面の汚れを清掃する場合は、布巾や雑巾を使用する。このとき、従来の構成では、装置の電源をオフせず、アプリケーションが動作したまま清掃するとアプリケーションに何らかの入力が発生し誤操作してしまう可能性があった。従って、入力画面の清掃は、装置に対するタッチ入力を無効にする状態に移行するか、装置の電源オフにして行っていた。しかし、２４時間営業時は、装置の電源をオフできない。また、電源をオフする場合、終了・起動処理に時間がかかる。さらに、タッチパネルしか入力デバイスが無いマシンの場合、タッチ入力を無効化すると有効に戻し難いという問題があった。
【０１４９】
一方、本発明に係るデータ表示／センサ装置１００は、上記の通り、センサ内蔵液晶パネル３０１のパネル面に所定の閾値以上の広がりを持つ入力を感知すると自動的に清掃モードに移行し、アプリケーション画面への入力を無効にする。このとき、データ表示／センサ装置１００は、清掃モードであること、及び／又は入力が全て無効であることを示す表示をパネル面に出す。
【０１５０】
また、データ表示／センサ装置１００は、清掃モード移行後にパネル面への入力が無くなると自動的に清掃モードを解除し、アプリケーション画面に戻る。すなわち、データ表示／センサ装置１００は、自動的に入力無効モードになり、かつ、自動的に入力有効モードになる。よって、ユーザによるオペレーションにおいて誤操作を防止できる。また、ユーザは、２４時間営業時でも、データ表示／センサ装置１００の電源をオフしなくてよい。
【０１５１】
（データ表示／センサ装置の変形例）
データ表示／センサ装置１００は、図１０に示すフロー中の、ステップＳ３及びステップＳ８において、領域広さ検出部１３が、センサ内蔵液晶パネル３０１に対する対象物による入力の数を検出して、選択領域の広がりをもとめる構成としてもよい。換言すれば、領域広さ検出部１３は、１）センサ内蔵液晶パネル３０１の各位置における対象物の像の検出の数の取得、又は、２）センサ内蔵液晶パネル３０１を複数の分割領域に分割した場合における、対象物により選択された当該分割領域の数の取得により、選択領域の広がりをもとめる構成としてもよい。なお、選択領域の広がりをもとめるために、前記したように当該選択領域の面積を算出する場合も、上記１）又は２）のいずれかの工程を伴う。
【０１５２】
センサ内蔵液晶パネル３０１の各位置における対象物の像の検出の数とは、センサ内蔵液晶パネル３０１上に複数の定点を設定し、幾つの定点で対象物の像が検出されたかという情報を取得するものである。一例として、センサ内蔵液晶パネル３０１の１画素毎にフォトダイオード６が設けられる場合には、各画素を定点としてもよい。或いは、複数画素（例えば１０画素×１０画素）をひとつの単位と見る場合、当該単位に含まれる所定の画素（例えば、左上隅の１画素）を各単位での定点としてもよい。そして、データ表示／センサ装置１００は、取得された対象物の像の検出の数（像が検出された定点の数、すなわち対象物による入力の数）の情報に基づき、指６４等による正常な入力が行なわれているか、雑巾６５等による清掃等が行なわれているかを判別する。
【０１５３】
また、センサ内蔵液晶パネル３０１を複数の分割領域に分割した場合における、対象物により選択された分割領域の数の取得とは、分割領域内に含まれる任意の画素で対象物の像が検出された場合に、当該分割領域が対象物により選択されたとみなし、このような分割領域の数を取得することを指す。そして、データ表示／センサ装置１００は、取得された分割領域の数（対象物により選択された分割領域の数、すなわち対象物による入力の数）の情報に基づき、指６４等による正常な入力が行なわれているか、雑巾６５等による清掃等が行なわれているかを判別する。
【０１５４】
例えば、データ表示／センサ装置１００では、センサ内蔵液晶パネル３０１のパネル面（表示面／入力面）をグリッド状に領域分割し、分割領域毎に一つの入力を認識するように設定する。そして、領域広さ検出部１３は、選択領域３６０・３６０ａ・３６０ｂ（図７（ｂ）、図１１（ａ）、図１１（ｂ）参照）に対応した、対象物による入力の数を検出する。ここで分割領域の大きさは、例えば、指６４等による入力の場合は一つの入力が認識されるが（いわゆるシングルタッチの状態）、指６４より大きな雑巾６５等による入力の場合は複数の入力が認識される（いわゆるマルチタッチの状態）ように、適宜設定される。この場合、指６４の腹より大きな広がりを持つ対象物がセンサ内蔵液晶パネル３０１に近接又は接触した場合は、領域広さ検出部１３が、複数の入力を認識する。
【０１５５】
次に、図１０に示すフロー中の、ステップＳ４及びステップＳ９において、データ表示／センサ装置１００は、ステップＳ３で検出した対象物による入力の数が、所定の基準値以上であるか否かを判定する。一実施形態において、入力制御部１５が、基準値記憶部２１から供された所定の基準値と、ステップＳ３及びステップＳ８で検出した対象物による入力の数とを比較する。
【０１５６】
ここで、基準値記憶部２１が格納する「所定の基準値」とは、センサ内蔵液晶パネル３０１に対する入力に用いる対象物（「入力用対象物」）による入力と、当該入力用対象物より大きな対象物（「非入力用対象物」）による入力とを区別するための、対象物による入力の数の閾値である。
【０１５７】
従って、「所定の基準値」は、上記入力用対象物が、センサ内蔵液晶パネル３０１に近接又は接触した場合に通常想定される入力の数より大きい値に設定される。かつ、当該「所定の基準値」は、非入力用対象物（雑巾６５等）が、センサ内蔵液晶パネル３０１に近接又は接触した場合に通常想定される入力の数より小さい値であることが好ましい。すなわち、「所定の基準値」は、想定される入力用対象物の種類、想定される非入力用対象物の種類、及びセンサ内蔵液晶パネル３０１を有するデータ表示／センサ装置１００の設置環境、等に応じて適宜設定される値である。
【０１５８】
（データ表示／センサ装置の他の変形例）
データ表示／センサ装置１００は、図１０に示すフロー中の、ステップＳ４とステップＳ６との間、及び、ステップＳ９とステップＳ６との間、の少なくとも一方で、センサ内蔵液晶パネル３０１に対する対象物の移動方向を検出し、その検出結果に基づいて、ステップＳ６に進むか否かの判断をする構成としてもよい。
【０１５９】
一実施形態において、図９に示す移動方向検出部（移動方向検出手段）１４が、センサデータ処理部７０３から全体画像データを取得し、当該全体画像データに基づいて対象物（指６４や雑巾６５等）の移動方向を検出する。
【０１６０】
詳しく述べれば、移動方向検出部１４は、データ処理部７００に対して、「データ種別」を”全体画像”、「データ取得タイミング」を、例えば”センス”としたコマンドを送り、全体画像データを継続的に取得する。次いで、移動方向検出部１４は、取得した全体画像データに基づき、センサ内蔵液晶パネル３０１の表示面内（パネル面内）における対象物の移動方向にかかる情報を検出する。あるいは、移動方向検出部１４は、データ処理部７００に対して、「データ種別」を”座標”、「データ取得タイミング」を、例えば”センス”としたコマンドを送り、選択領域の代表座標を継続的に取得する。次いで、移動方向検出部１４は、当該代表座標の変化に基づき、センサ内蔵液晶パネル３０１の表示面内における対象物の移動方向にかかる情報を検出する。次いで、移動方向検出部１４は、対象物の移動方向にかかる情報を入力制御部１５に供する。
【０１６１】
ステップＳ４又はステップＳ９で選択領域の面積が所定の基準値以上と判定された場合には、入力制御部１５は、上記対象物の移動方向が、１）往復移動又は反復性のある移動であるか、あるいは、２）それ以外の移動であるかの判断を行なう。
【０１６２】
そして、対象物の移動方向が、往復移動又は反復性のある移動であると入力制御部１５が判断した場合は、清掃中である可能性が極めて高いので、ステップＳ６に進む。一方、対象物の移動方向が、往復移動又は反復性のある移動ではないと入力制御部１５が判断した場合は、清掃中でないと判断してステップＳ５又はステップＳ１０に進む。
【０１６３】
なお、「往復移動」とは、センサ内蔵液晶パネル３０１のパネル面上を、対象物が一方向に移動した後、引き続いて当該一方向とは逆方向に移動することを指す。例えば、センサ内蔵液晶パネル３０１のパネル面上を、対象物が上方から下方に移動した後、引き続いて下方から上方に移動する、或いは、対象物が左方から右方に移動した後、引き続いて右方から左方に移動するような動きを指す。また、「反復性のある移動」とは、一方向への移動が複数回繰り返されることを指す。例えば、センサ内蔵液晶パネル３０１のパネル面上を、対象物が上方から下方に２回以上移動する、或いは、対象物が２回以上、円を描くように移動するような動きを指す。
【０１６４】
上記「往復移動」や「反復性のある移動」は、雑巾６５を用いた清掃中に頻繁に現れる。よって、ここで説明した変形例の構成によれば、清掃中であるか否かをより確実に判断しつつ、入力画面への入力状況に応じて、自動的に入力を無効とすることが出来る。
【０１６５】
（プログラムおよび記録媒体）
最後に、データ表示／センサ装置１００に含まれている回路制御部６００、データ処理部７００、および主制御部８００は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１６６】
すなわち、回路制御部６００、データ処理部７００および主制御部８００は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリなどの記憶装置（記録媒体）を備えている。
【０１６７】
そして、本発明の目的は、回路制御部６００、データ処理部７００および主制御部８００のプログラムメモリに固定的に担持されている場合に限らず、上記プログラムのプログラムコード（実行形式プログラム、中間コードプログラム、または、ソースプログラム）を記録した記録媒体をデータ表示／センサ装置１００に供給し、データ表示／センサ装置１００が上記記録媒体に記録されている上記プログラムコードを読み出して実行することによっても、達成可能である。
【０１６８】
上記記録媒体は、特定の構造または種類のものに限定されない。すなわちこの記録媒体は、たとえば、磁気テープやカセットテープなどのテープ系、フロッピー（登録商標）ディスク／ハードディスクなどの磁気ディスクやＣＤ−ＲＯＭ／ＭＯ／ＭＤ／ＤＶＤ／ＣＤ−Ｒなどの光ディスクを含むディスク系、ＩＣカード（メモリカードを含む）／光カードなどのカード系、あるいはマスクＲＯＭ／ＥＰＲＯＭ／ＥＥＰＲＯＭ／フラッシュＲＯＭなどの半導体メモリ系などとすることができる。
【０１６９】
また、回路制御部６００、データ処理部７００および主制御部８００（またはデータ表示／センサ装置１００）を通信ネットワークと接続可能に構成しても、本発明の目的を達成できる。この場合、上記のプログラムコードを、通信ネットワークを介して回路制御部６００、データ処理部７００および主制御部８００に供給する。この通信ネットワークは回路制御部６００、データ処理部７００および主制御部８００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網などであればよい。
【０１７０】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網などの無線でも利用可能である。なお本発明は、上記プログラムコードが電子的な伝送で具現化された、搬送波に埋め込まれたコンピュータデータ信号の形態でも実現され得る。
【０１７１】
以上、本発明を実施形態に基づいて具体的に説明したが、本発明は、上述した実施形態に限定されるものではなく、請求項に示した範囲において種々の変更が可能である。
【産業上の利用可能性】
【０１７２】
本発明は、各種情報機器において利用することができる。
【符号の説明】
【０１７３】
６          フォトダイオード
１３        領域広さ検出部（領域広さ検出手段）
１４        移動方向検出部（移動方向検出手段）
１５        入力制御部（入力制御手段）
２１        基準値記憶部（記憶手段）
６４        指（対象物）
６５        雑巾（対象物）
１００      データ表示／センサ装置（入力装置）
３０１      センサ内蔵液晶パネル（面状部材）
３６０      選択領域（対象物により選択された当該面状部材上の領域）
３６０ａ    選択領域（対象物により選択された当該面状部材上の領域）
３６０ｂ    選択領域（対象物により選択された当該面状部材上の領域）
【図１】
2010186442.tif 000003
【図２】
2010186442.tif 000004
【図３】
2010186442.tif 000005
【図４】
2010186442.tif 000006
【図５】
2010186442.tif 000007
【図６】
2010186442.tif 000008
【図７】
2010186442.tif 000009
【図８】
2010186442.tif 000010
【図９】
2010186442.tif 000011
【図１０】
2010186442.tif 000012
【図１１】
2010186442.tif 000013